(57)【要約】【課題】耐ノイズ性能を確保しつつ、軽量化を実現する放射線撮影装置を提供する。【解決手段】入射した放射線を電気信号に変換して放射線画像を得るセンサパネルと、センサパネルを支持するセンサ支持基台と、センサパネルおよびセンサ支持基台を内部に収納する筐体１５０とを有し、筐体１５０は、第１の導電体層４０１と、第１の導電体層４０１と電気接続部材１５３を介して電気的に接続された第２の導電体層４０３と、第１の導電体層４０１と第２の導電体層４０３との間に設けられた非導電体層４０２とを備えた積層構造を含み構成されている。【選択図】図６
2020091211.tif 000002
【特許請求の範囲】
【請求項１】
入射した放射線を電気信号に変換して放射線画像を得るセンサパネルと、
前記センサパネルを内部に収納する筐体と、
を有し、
前記筐体は、
第１の導電体層と、前記第１の導電体層と電気接続部材を介して電気的に接続された第２の導電体層と、前記第１の導電体層と前記第２の導電体層との間に設けられた非導電体層とを備えた積層構造を含み構成されていることを特徴とする放射線撮影装置。
【請求項２】
前記センサパネルを支持するセンサ支持基台を更に有し、
前記センサ支持基台は、前記積層構造を有していることを特徴とする請求項１に記載の放射線撮影装置。
【請求項３】
前記センサ支持基台は、前記筐体の導電体の部分と電気接続機構を介して電気的に接続されていることを特徴とする請求項２に記載の放射線撮影装置。
【請求項４】
前記積層構造は、前記筐体において前記放射線が入射する側に位置する第１面に設けられていることを特徴とする請求項１乃至３のいずれか１項に記載の放射線撮影装置。
【請求項５】
前記積層構造は、前記筐体において前記放射線が入射する側に位置する第１面とは反対側の第２面に設けられていることを特徴とする請求項１乃至４のいずれか１項に記載の放射線撮影装置。
【請求項６】
前記電気接続部材は、前記筐体のうちの前記積層構造が設けられていない部分であって導電体で形成されたカバー部とも電気的に接続されていることを特徴とする請求項４または５に記載の放射線撮影装置。
【請求項７】
前記電気接続部材は、前記放射線を用いた放射線撮影に係る有効撮影領域の外部に設けられていることを特徴とする請求項１乃至６のいずれか１項に記載の放射線撮影装置。
【請求項８】
前記電気接続部材は、前記筐体を前記放射線が入射する側から見た際に、前記筐体の対角に複数備えられていることを特徴とする請求項１乃至７のいずれか１項に記載の放射線撮影装置。
【請求項９】
前記第１の導電体層および前記第２の導電体層は、アルミニウム、マグネシウム、チタン、鉄およびカーボンのうちのいずれかの材料を含む層であることを特徴とする請求項１乃至８のいずれか１項に記載の放射線撮影装置。
【請求項１０】
前記非導電体層は、樹脂材料を含む層であることを特徴とする請求項１乃至９のいずれか１項に記載の放射線撮影装置。
【発明の詳細な説明】
【技術分野】
【０００１】
本発明は、放射線を用いた撮影を行う放射線撮影装置に関するものである。
【背景技術】
【０００２】
近年、放射線撮影装置では、放射線画像が瞬時にモニタに表示されるＤＲ（Ｄｉｇｉｔａｌ  Ｒａｄｉｏｇｒａｐｈｙ）などの放射線検出器を用いたデジタル放射線撮影装置が普及している。ところで、この放射線検出器は、可搬性を向上させることで様々な姿勢や環境での撮影に用いることができる。このため、軽量な放射線検出器や耐ノイズ性能の高い放射線検出器が開発されている。
【０００３】
また、例えば、病院内には、様々な医療機器が存在し、特に処置室では、多数の医療機器がある中で放射線検出器は使用される。この際、医療機器の中には、電磁波を発生するものがあり、放射線検出器の外装に電位の浮いた金属が存在すると、電磁界ノイズが発生して放射線検出器の耐ノイズ性能が悪化し、その結果、ノイズが低い好適な放射線画像が取得できない場合がある。
【０００４】
例えば、特許文献１には、その図４に、電磁波をシールドするために、放射線検出器の外装を構成する導電性のカバー部と金属製の筐体との間に、導電性シール材を用いて電気接続を行う技術が記載されている。
【先行技術文献】
【特許文献】
【０００５】
【特許文献１】特開２０００−２５８５４１号公報
【発明の概要】
【発明が解決しようとする課題】
【０００６】
例えば可搬型の放射線検出器では、持ち運びの容易性向上のために軽量化が望まれている。この点、上述した特許文献１では、放射線検出器の外装全体が導電性や金属製の材料で構成されているため、重量が重くなりがちで軽量化が難しく、その結果、持ち運びの容易性が低下するという問題があった。
【０００７】
本発明は、このような問題点に鑑みてなされたものであり、耐ノイズ性能を確保しつつ、軽量化を実現する放射線撮影装置を提供することを目的とする。
【課題を解決するための手段】
【０００８】
本発明の放射線撮影装置は、入射した放射線を電気信号に変換して放射線画像を得るセンサパネルと、前記センサパネルを内部に収納する筐体と、を有し、前記筐体は、第１の導電体層と、前記第１の導電体層と電気接続部材を介して電気的に接続された第２の導電体層と、前記第１の導電体層と前記第２の導電体層との間に設けられた非導電体層とを備えた積層構造を含み構成されている。
【発明の効果】
【０００９】
本発明によれば、耐ノイズ性能を確保しつつ、軽量化を実現する放射線撮影装置を提供することができる。
【図面の簡単な説明】
【００１０】
【図１】本発明の第１の実施形態に係る放射線撮影装置の概略構成の一例を示す図である。
【図２】本発明の第１の実施形態に係る放射線検出器の内部構成の一例を示す断面図である。
【図３】本発明の第１の実施形態に係る放射線検出器を放射線が入射する側から見た正面図である。
【図４】図２及び図３に示す天板の内部構成の一例を示す断面図である。
【図５】本発明の第１の実施形態を示し、図４に示す天板と図３に示す電気接続部材との配置例を示す断面図である。
【図６】本発明の第１の実施形態に係る筐体の概略構成の一例を示す断面図である。
【図７】本発明の第２の実施形態に係る筐体の概略構成の一例を示す断面図である。
【図８】本発明の第３の実施形態に係る放射線検出器の内部構成の一例を示す断面図である。
【発明を実施するための形態】
【００１１】
以下に、図面を参照しながら、本発明を実施するための形態（実施形態）について説明する。
【００１２】
（第１の実施形態）
まず、本発明の第１の実施形態について説明する。
【００１３】
図１は、本発明の第１の実施形態に係る放射線撮影装置１０の概略構成の一例を示す図である。放射線撮影装置１０は、図１に示すように、放射線検出器１００、コントローラ２００、及び、放射線発生部３００を有して構成されている。
【００１４】
放射線発生部３００は、放射線を発生される放射線管球を含み構成されている構成部である。この放射線発生部３００は、コントローラ２００の制御に基づいて、放射線検出器１００に向けて放射線３０１を照射する。この際、図１では不図示であるが、放射線発生部３００と放射線検出器１００との間には、放射線撮影を行う被検体などの撮影対象が配置されうる。
【００１５】
コントローラ２００は、放射線撮影装置１０の動作を統括的に制御するとともに、各種の処理を行う構成部である。コントローラ２００は、例えば、撮影対象の放射線撮影を行う場合、放射線発生部３００を制御して放射線３０１を照射させるとともに、放射線検出器１００を制御して入射した放射線（上述した撮影対象を透過した放射線を含む）に基づく放射線画像を取得させる。また、コントローラ２００は、放射線検出器１００から放射線画像を取得して、必要に応じて各種の画像処理を行いうる。
【００１６】
放射線検出器１００は、放射線発生部３００（放射線管球）に対して対向する位置に配置されており、コントローラ２００の制御に基づいて、入射した放射線（上述した撮影対象を透過した放射線を含む）を電気信号に変換して放射線画像を取得する構成部である。図１では、放射線検出器１００の外装を構成する筐体において、放射線３０１が入射する側に位置する面を第１面１０１として図示し、また、第１面１０１とは反対側に位置する面を第２面１０２として図示している。また、図１では、放射線検出器１００において、放射線３０１を検出可能な第１面１０１における境界を境界線１０１１として図示している。そして、図１では、放射線検出器１００において、境界線１０１１の内側に白色で示された領域に照射された放射線３０１を検出することになり、この領域を放射線撮影に係る有効撮影領域１０１２として図示している。
【００１７】
図２は、本発明の第１の実施形態に係る放射線検出器１００の内部構成の一例を示す断面図である。この図２において、図１に示す構成と同様の構成については同じ符号を付している。具体的に、図２では、放射線３０１が入射する側に位置する第１面１０１を上方に図示し、第１面１０１とは反対側に位置する第２面１０２を下方に図示している。以降の説明では、第１の実施形態に係る放射線検出器１００を「放射線検出器１００−１」として説明を行う。
【００１８】
放射線検出器１００−１は、図２に示すように、センサパネル１１０、センサ支持基台１２０、電気基板１３０、ケーブル１４０、及び、筐体１５０を有して構成されている。
【００１９】
センサパネル１１０は、入射した放射線を電気信号に変換して放射線画像を得る構成部である。このセンサパネル１１０は、その上面もしくは下面に放射線３０１に反応して光を発生させるＣｓＩやＧＯＳなどの蛍光体であるシンチレータを備えている。また、センサパネル１１０は、シンチレータで発生しした光を検知して電気信号に変換するセンサ画素アレイを備えている。また、センサパネル１１０では、センサ画素アレイは、ガラス基板もしくは樹脂基板に形成されている。
【００２０】
センサ支持基台１２０は、センサパネル１１０を支持する構成部である。このセンサ支持基台１２０は、センサパネル１１０と面で固設されている。この際、センサ支持基台１２０とセンサパネル１１０との間には、放射線透過率が低い部材を配置してもよい。さらに、センサ支持基台１２０を配置せず、センサパネル１１０を、筐体１５０の底面や側面で直接支持してもよい。
【００２１】
電気基板１３０は、ケーブル１４０を介してセンサパネル１１０の制御を行う構成部である。この電気基板１３０は、センサ支持基台１２０に対してセンサパネル１１０と対面に配置されている。
【００２２】
ケーブル１４０は、センサパネル１１０と電気基板１３０とを電気的に通信可能に接続する構成部である。
【００２３】
筐体１５０は、放射線検出器１００−１の外装を構成し、センサパネル１１０、センサ支持基台１２０、電気基板１３０及びケーブル１４０を内部に収納する構成部である。この筐体１５０は、内部に収納された構成部を外力やノイズから保護する機能を有する。この筐体１５０は、図２に示すように、天板１５１、及び、カバー部１５２を含み構成されている。天板１５１は、図２に示すように、筐体１５０において、放射線３０１が入射する側に位置する第１面１０１に設けられている。この天板１５１は、放射線３０１の透過率が大きく且つ外力などから内部の構成部を保護する機能も必要であることから、一般的にＣＦＲＰが使用される。
【００２４】
図３は、本発明の第１の実施形態に係る放射線検出器１００−１を放射線３０１が入射する側から見た正面図である。この図３において、図１及び図２に示す構成と同様の構成については同じ符号を付している。本実施形態においては、図３に示すように、筐体１５０は、図２に示す天板１５１及びカバー部１５２に加えて、更に、電気接続部材１５３を含み構成されている。
【００２５】
図４は、図２及び図３に示す天板１５１の内部構成の一例を示す断面図である。
本実施形態においては、天板１５１は、例えば図２に示す第１面１０１の側に位置する第１の導電体層４０１と、図３に示す電気接続部材１５３を介して第１の導電体層４０１と電気的に接続された第２の導電体層４０３と、第１の導電体層４０１と第２の導電体層４０３との間に設けられた非導電体層４０２とを備えた積層構造を含み構成されている。
【００２６】
本実施形態においては、第１の導電体層４０１及び第２の導電体層４０３は、アルミニウム、マグネシウム、チタン、鉄およびカーボンのうちのいずれかの材料を含む層であることが好適である。このような比強度が高い材料を第１の導電体層４０１及び第２の導電体層４０３に適用することにより、放射線検出器１００−１が可搬型の場合、使用者が持ち運び容易にするために軽量化できるようになる。なお、第１の導電体層４０１と第２の導電体層４０３は、端部で繋がっていてもよく、また、これらが非導電体層４０２を覆うような構造となっていてもよい。
【００２７】
また、図４に示すように、非導電体層４０２は、第１の導電体層４０１及び第２の導電体層４０３のそれぞれと密着して高剛性な一体的な積層構造となっている。ここで、本実施形態においては、非導電体層４０２は、樹脂材料を含む層であることが軽量化の観点で好適である。また、非導電体層４０２は、発泡体であればより軽量化が可能であるが、密度の高い樹脂の板を配置することにより、軽量化と耐衝撃とを両立可能な天板１５１を実現することができる。
【００２８】
図５は、本発明の第１の実施形態を示し、図４に示す天板１５１と図３に示す電気接続部材１５３との配置例を示す断面図である。この図５において、図３及び図４に示す構成と同様の構成については同じ符号を付している。第１の導電体層４０１及び第２の導電体層４０３がＣＦＲＰの場合、それぞれの導電体層の厚みは、０．１５ｍｍ以上で、天板１５１の厚みは、０．６ｍｍから３．０ｍｍの範囲が望ましい。
【００２９】
具体的に、図５（ａ）は、第１の導電体層４０１と第２の導電体層４０３とを電気的に接続するＶ字型の電気接続部材１５３が、第１の導電体層４０１及び第２の導電体層４０３の両方に食い込むように配置された例を示している。なお、図５（ａ）に示すＶ字型とは上下を逆にしたＶ字型の電気接続部材１５３を天板１５１に適用する態様も、本実施形態に適用可能である。
【００３０】
図５（ｂ）は、第１の導電体層４０１と第２の導電体層４０３とを電気的に接続するくさび型の電気接続部材１５３が、一方が第１の導電体層４０１に食い込み、他方が第２の導電体層４０３に面接触するように配置された例を示している。なお、図５（ｂ）に示すくさび型とは上下を逆にし、一方が第２の導電体層４０３に食い込み、他方が第１の導電体層４０１に面接触するように配置されたくさび型の電気接続部材１５３を天板１５１に適用する態様も、本実施形態に適用可能である。
【００３１】
図５（ｃ）は、第１の導電体層４０１と第２の導電体層４０３とを電気的に接続する直方体型の電気接続部材１５３が、第１の導電体層４０１及び第２の導電体層４０３の両方に面接触するように配置された例を示している。
【００３２】
なお、電気接続部材１５３は、第１の導電体層４０１及び第２の導電体層４０３や非導電体層４０２の材料や表面状態により、適切な材料や接続手段を選定すればよい。また、電気接続部材１５３は、図５（ａ）〜図５（ｃ）で示した形状のパターンに限定されるものではなく、第１の導電体層４０１と第２の導電体層４０３とを電気的に接続ができれば、その他の形状や手法を用いてもよい。ここで、本実施形態においては、電気的に接続されるとは、電気抵抗値が少なくとも数百Ω以下であることを指し、抵抗値が低いほど電磁シールド性は向上する。そして、本実施形態では、筐体１５０内の天板１５１において、第１の導電体層４０１と第２の導電体層４０３との間に非導電体層４０２を設けるとともに、第１の導電体層４０１と第２の導電体層４０３とを電気的に接続する電気接続部材１５３を設けている。かかる構成により、天板１５１の導電体層が独立した電位ではなくなり、電位の浮きがなくなる結果、電磁界ノイズを抑えることができ、耐ノイズ性を向上させた放射線検出器１００−１（放射線撮影装置１０）を提供することができる。
【００３３】
電気接続部材１５３は、電気を通す金属片でよいが、次のような配置が望ましい。
具体的に、電気接続部材１５３は、図３に示すように、放射線を用いた放射線撮影に係る有効撮影領域１０１２の外部に設けられている。かかる構成により、放射線透過率が低い金属が放射線画像に写り込むことがなくなり、良好な放射線画像を取得することができる。さらに、電気接続部材１５３は、図３に示すように、筐体１５０を放射線３０１が入射する側から見た際に、筐体１５０の対角に複数備えられている。かかる構成により、電気的な接続をより安定して行うことができ、持続的な耐ノイズ性能の向上を実現することができる。
【００３４】
図６は、本発明の第１の実施形態に係る筐体１５０の概略構成の一例を示す断面図である。この図６において、図１〜図５に示す構成と同様の構成については同じ符号を付している。本実施形態では、図６に示すように、筐体１５０において、第１の導電体層４０１、非導電体層４０２及び第２の導電体層４０３を備えた積層構造が、第１面１０１に位置する天板１５１に設けられている。
【００３５】
また、図６に示す筐体１５０において、上述した積層構造が設けられている天板１５１を除く部分（上述した積層構造が設けられていない部分）であるカバー部１５２は、導電体で形成されている。そして、カバー部１５２の導電体の箇所は、互いに電気的に接続されている。そして、本実施形態では、電気接続部材１５３は、天板１５１とカバー部１５２を更に電気的に接続している。
【００３６】
具体的に、図６（ａ）は、金属片の電気接続部材１５３が天板１５１に埋め込まれている例を示している。より詳細に、図６（ａ）は、金属片の電気接続部材１５３が、第１の導電体層４０１から第２の導電体層４０３を貫き、カバー部１５２と接触するように配置されている。これにより、金属片の電気接続部材１５３は、第１の導電体層４０１、第２の導電体層４０３及びカバー部１５２の３つを電気的に接続している。
【００３７】
図６（ｂ）は、板バネ状部品の電気接続部材１５３が、天板１５１の側面で、第１の導電体層４０１、第２の導電体層４０３及びカバー部１５２の３つと接触するように配置されている。これにより、板バネ状部品の電気接続部材１５３は、第１の導電体層４０１、第２の導電体層４０３及びカバー部１５２の３つを電気的に接続している。
【００３８】
図６（ｃ）は、皿ビスの電気接続部材１５３が、当該皿ビスによって第１の導電体層４０１、第２の導電体層４０３及びカバー部１５２の３つと接触するように配置されている。これにより、皿ビスの電気接続部材１５３は、第１の導電体層４０１、第２の導電体層４０３及びカバー部１５２の３つを電気的に接続している。
【００３９】
図６（ａ）〜図６（ｃ）を用いて説明したように、電気接続部材１５３によって天板１５１とカバー部１５２とを更に電気的に接続させることで、筐体１５０の全体で独立した電位がなくなり、電位の浮きがなくなる。これにより、電磁界ノイズを更に抑えることができ、耐ノイズ性を更に向上させた放射線検出器１００−１を提供することができる。そして、電気接続部材１５３が、天板１５１の第１の導電体層４０１及び第２の導電体層４０３のみならず、天板１５１とカバー部１５２とを電気的に接続することで、一部品で複数の電気接続が可能となり、効率的で安定した電気接続を行うことができる。
【００４０】
上述したように、第１の実施形態に係る放射線撮影装置１０の放射線検出器１００−１では、筐体１５０の第１面１０１に位置する天板１５１に、上述した積層構造を構成するようにしている。即ち、天板１５１に、第１の導電体層４０１と、この導電体層と電気接続部材１５３を介して電気的に接続された第２の導電体層４０３と、これら２つの導電体層４０１及び４０３の間に設けられた非導電体層４０２とを備えた積層構造を構成するようにしている。
かかる構成によれば、耐ノイズ性能を確保しつつ、軽量化を実現する放射線撮影装置１０（放射線検出器１００）を提供することができる。例えば、本実施形態で示すような非導電体層４０２を設けずに導電体層のみで天板を形成した場合には、軽量化に寄与する非導電材料である樹脂や発泡体を用いることができずに、その分重量が重くなるため、持ち運びの容易性が低下することが想定される。
【００４１】
（第２の実施形態）
次に、本発明の第２の実施形態について説明する。なお、以下に記載する第２の実施形態の説明では、上述した第１の実施形態と共通する事項については説明を省略し、上述した第１の実施形態と異なる事項について説明を行う。
【００４２】
第２の実施形態に係る放射線撮影装置の概略構成は、図１に示す第１の実施形態に係る放射線撮影装置１０の概略構成と同様である。以降の説明では、第２の実施形態に係る放射線検出器１００を「放射線検出器１００−２」として説明を行う。また、第２の実施形態に係る放射線検出器１００−２の内部構成は、図２に示す第１の実施形態に係る放射線検出器１００−１の内部構成に対して、筐体１５０以外の構成部は同様であるため、その説明は省略する。以下、この第１の実施形態と異なる、第２の実施形態に係る筐体について説明を行う。
【００４３】
図７は、本発明の第２の実施形態に係る筐体２５０の概略構成の一例を示す断面図である。この図７において、図１〜図６に示す構成と同様の構成については同じ符号を付している。本実施形態では、図７に示すように、筐体２５０は、第１面１０１に位置する天板２５１、第２面１０２に位置する背面板２５２、電気接続部材１５３、及び、筐体２５０の側面で天板２５１と背面板２５２とをつなぐカバー部２５３を有して構成されている。
【００４４】
具体的に、本実施形態では、筐体２５０において、第１の導電体層４０１、非導電体層４０２及び第２の導電体層４０３を備えた積層構造が、第２面１０２に位置する背面板２５２に設けられている。また、背面板２５２には、第１の導電体層４０１と第２の導電体層４０３とを電気的に接続する電気接続部材１５３が設けられている。即ち、この背面板２５２は、第１の実施形態で説明した上述の積層構造を備えている。
【００４５】
天板２５１は、ＣＦＲＰ単板でも樹脂板で形成されていてもよく、また、第１の実施形態で説明した上述の積層構造を備えた天板１５１を適用することもできる。
【００４６】
カバー部２５３は、導電体で形成されている。そして、カバー部２５３の導電体の箇所は、互いに電気的に接続されている。そして、本実施形態では、電気接続部材１５３は、少なくとも背面板２５２とカバー部２５３を更に電気的に接続している。
【００４７】
具体的に、図７（ａ）は、金属片の電気接続部材１５３が背面板２５２に埋め込まれている例を示している。より詳細に、図７（ａ）は、金属片の電気接続部材１５３が、第１の導電体層４０１から第２の導電体層４０３を貫き、カバー部２５３と接触するように配置されている。これにより、金属片の電気接続部材１５３は、第１の導電体層４０１、第２の導電体層４０３及びカバー部２５３の３つを電気的に接続している。
【００４８】
図７（ｂ）は、板バネ状部品の電気接続部材１５３が、背面板２５２の側面で、第１の導電体層４０１、第２の導電体層４０３及びカバー部２５３の３つと接触するように配置されている。これにより、板バネ状部品の電気接続部材１５３は、第１の導電体層４０１、第２の導電体層４０３及びカバー部２５３の３つを電気的に接続している。
【００４９】
図７（ｃ）は、皿ビスの電気接続部材１５３が、当該皿ビスによって第１の導電体層４０１、第２の導電体層４０３及びカバー部２５３の３つと接触するように配置されている。これにより、皿ビスの電気接続部材１５３は、第１の導電体層４０１、第２の導電体層４０３及びカバー部２５３の３つを電気的に接続している。
【００５０】
図７（ａ）〜図７（ｃ）を用いて説明したように、電気接続部材１５３によって背面板２５２とカバー部２５３とを更に電気的に接続させることで、筐体２５０の全体で独立した電位がなくなり、電位の浮きがなくなる。これにより、電磁界ノイズを更に抑えることができ、耐ノイズ性を更に向上させた放射線検出器１００−２を提供することができる。そして、電気接続部材１５３が、背面板２５２の第１の導電体層４０１及び第２の導電体層４０３のみならず、背面板２５２とカバー部２５３とを電気的に接続することで、一部品で複数の電気接続が可能となり、効率的で安定した電気接続を行うことができる。
【００５１】
上述したように、第２の実施形態に係る放射線撮影装置１０の放射線検出器１００−２では、筐体２５０の第２面１０２に位置する背面板２５２に、上述した積層構造を構成するようにしている。即ち、背面板２５２に、第１の導電体層４０１と、この導電体層と電気接続部材１５３を介して電気的に接続された第２の導電体層４０３と、これら２つの導電体層４０１及び４０３の間に設けられた非導電体層４０２とを備えた積層構造を構成するようにしている。
かかる構成によれば、耐ノイズ性能を確保しつつ、軽量化を実現する放射線撮影装置１０（放射線検出器１００）を提供することができる。例えば、本実施形態で示すような非導電体層４０２を設けずに導電体層のみで背面板を形成した場合には、軽量化に寄与する非導電材料である樹脂や発泡体を用いることができずに、その分重量が重くなるため、持ち運びの容易性が低下することが想定される。
【００５２】
（第３の実施形態）
次に、本発明の第３の実施形態について説明する。なお、以下に記載する第３の実施形態の説明では、上述した第１の実施形態及び第２の実施形態と共通する事項については説明を省略し、上述した第１の実施形態及び第２の実施形態と異なる事項について説明を行う。
【００５３】
第３の実施形態に係る放射線撮影装置の概略構成は、図１に示す第１の実施形態に係る放射線撮影装置１０の概略構成と同様である。
【００５４】
図８は、本発明の第３の実施形態に係る放射線検出器１００の内部構成の一例を示す断面図である。この図８において、図１〜図７に示す構成と同様の構成については同じ符号を付している。以降の説明では、第３の実施形態に係る放射線検出器１００を「放射線検出器１００−３」として説明を行う。
【００５５】
放射線検出器１００−３は、図８に示すように、センサパネル１１０、センサ支持基台１２０、電気基板１３０、ケーブル１４０、電気接続部材１５３、パネル連結層３１０、ケーブル３２０、及び、筐体３５０を有して構成されている。
【００５６】
具体的に、本実施形態では、第１の導電体層４０１、非導電体層４０２及び第２の導電体層４０３を備えた積層構造が、センサ支持基台１２０に設けられている。また、センサ支持基台１２０には、第１の導電体層４０１と第２の導電体層４０３とを電気的に接続する電気接続部材１５３が設けられている。即ち、このセンサ支持基台１２０は、第１の実施形態で説明した天板１５１や第２の実施形態で説明した背面板２５２と同様の積層構造を備えている。
【００５７】
筐体３５０は、導電体で形成されているものとするが、第１の実施形態で説明した天板１５１や第２の実施形態で説明した背面板２５２と同様の積層構造で形成されていてもよい。なお、筐体３５０の導電体の箇所は、互いに電気的に接続されている。
【００５８】
パネル連結層３１０は、第１の実施形態で説明したセンサパネル１１０とセンサ支持基台１２０との間に設けられた、放射線３０１の透過率が低い部材を含む層である。このパネル連結層３１０には、部品間を固着する両面テープや接着層も含まれている。
【００５９】
センサ支持基台１２０は、電気基板１３０と電気的に接続されている。ここでは、電気基板固定用の締結ビスによる電気的な接続が一般的な手法である。また、電気基板１３０は、ケーブル３２０によって筐体３５０と電気的に接続されている。即ち、本実施形態では、センサ支持基台１２０は、上述した締結ビス、電気基板１３０及びケーブル３２０を含む電気接続機構を介して、筐体３５０の導電体の部分と電気的に接続されている。このように、電気接続機構を介して、センサ支持基台１２０と筐体３５０との電気的な接続を行うことより、筐体３５０側から受ける静電気対策部品を電気基板１３０に配置がしやすくなる。また、電気接続機構を介して、センサ支持基台１２０と筐体３５０とを電気的に接続させることで、筐体３５０の全体で独立した電位がなくなり、電位の浮きがなくなる。これにより、電磁界ノイズを更に抑えることができ、耐ノイズ性を更に向上させた放射線検出器１００−３を提供することができる。
【００６０】
上述したように、第３の実施形態に係る放射線撮影装置１０の放射線検出器１００−３では、センサ支持基台１２０に、上述した積層構造を構成するようにしている。即ち、センサ支持基台１２０に、第１の導電体層４０１と、この導電体層と電気接続部材１５３を介して電気的に接続された第２の導電体層４０３と、これら２つの導電体層４０１及び４０３の間に設けられた非導電体層４０２とを備えた積層構造を構成するようにしている。
かかる構成によれば、耐ノイズ性能を確保しつつ、軽量化を実現する放射線撮影装置１０（放射線検出器１００）を提供することができる。
【００６１】
（第４の実施形態）
次に、本発明の第４の実施形態について説明する。なお、以下に記載する第４の実施形態の説明では、上述した第１〜第３の実施形態と共通する事項については説明を省略し、上述した第１〜第３の実施形態と異なる事項について説明を行う。
【００６２】
ここで、第４の実施形態は、上述した第１〜第３の実施形態の組み合わせに係る形態である。
【００６３】
第４の実施形態における第１態様は、上述した第１の実施形態と上述した第２の実施形態とを組み合わせた態様である。この第１態様では、例えば、図２に示す放射線検出器１００−１の筐体１５０として、図６に示す天板１５１及び電気接続部材１５３を適用するとともに、図７に示す背面板２５２及び電気接続部材１５３を適用する態様を採りうる。
【００６４】
第４の実施形態における第２態様は、上述した第１の実施形態または上述した第２の実施形態と、上述した第３の実施形態とを組み合わせた態様である。この第２態様では、例えば、図８に示す放射線検出器１００−３の筐体３５０として、図６に示す天板１５１及び電気接続部材１５３、または、図７に示す背面板２５２及び電気接続部材１５３を適用する態様を採りうる。
【００６５】
第４の実施形態における第３態様は、上述した第１の実施形態及び上述した第２の実施形態と、上述した第３の実施形態とを組み合わせた態様である。この第３態様では、例えば、図８に示す放射線検出器１００−３の筐体３５０として、図６に示す天板１５１及び電気接続部材１５３、並びに、図７に示す背面板２５２及び電気接続部材１５３を適用する態様を採りうる。
【００６６】
以上説明した第１〜第４の実施形態から、本発明の実施形態では、放射線検出器１００の筐体及びセンサ支持基台１２０のうちの少なくとも１つに、第１の導電体層４０１と、この導電体層と電気接続部材１５３を介して電気的に接続された第２の導電体層４０３と、これら２つの導電体層４０１及び４０３の間に設けられた非導電体層４０２とを備えた積層構造を構成する形態であればよい。
【００６７】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００６８】
１０：放射線撮影装置、１００：放射線検出器、１０１：第１面、１０２：第２面、１１０：センサパネル、１２０：センサ支持基台、１３０：電気基板、１４０：ケーブル、１５０：筐体、１５１：天板、１５２：カバー部、１５３：電気接続部材、２００：コントローラ、３００：放射線発生部、３０１：放射線、４０１：第１の導電体層、４０２：非導電体層、４０３：第２の導電体層
【図１】
2020091211.tif 000003
【図２】
2020091211.tif 000004
【図３】
2020091211.tif 000005
【図４】
2020091211.tif 000006
【図５】
2020091211.tif 000007
【図６】
2020091211.tif 000008
【図７】
2020091211.tif 000009
【図８】
2020091211.tif 000010